(57)【要約】【課題】  各種御幣の多数枚を、夫々れ単独に適正且つ効率良く作成可能にする簡便で持ち運び可能な器具の提供。【解決手段】  板面に八つ折り或いは四つ折りした半紙、奉書などの数枚程度を重ね置き可能にする方形枠を備えた台板と、上記方形枠内へ重ね置きされる八つ折り或いは四つ折り半紙、奉書などの上面を被覆するものとなす方形金属板とからなり、上記方形金属板は片端から内方へ向かって交叉したり或いは他端側へ到達して切り離しされない複数本の切り溝を穿設したものとなしてあることを特徴とする。【選択図】      図１
0003123880.tif 000002
【実用新案登録請求の範囲】
【請求項１】
板面に八つ折り或いは四つ折りした半紙、奉書などの数枚程度を重ね置き可能にする方形枠を備えた台板と、上記方形枠内へ重ね置きされる八つ折り或いは四つ折り半紙、奉書などの上面を被覆するものとなす方形金属板とからなり、上記方形金属板は片端から内方へ向かって交叉したり或いは他端側へ到達して切り離しされない複数本の切り溝を穿設したものとなしてあることを特徴とする御幣作成用器具。
【請求項２】
上記台板は縦・横寸法を１０ｃｍ〜３０ｃｍになしてあり、また方形枠を一対の対向するコ字体に形成し、その上下方向を開放状態に形成されるものとなしてあることを特徴とする請求項１記載の御幣作成用器具。
【請求項３】
板面に八つ折り或いは四つ折りした半紙、奉書などの数枚程度を重ね置き可能にする方形枠を備えた台板と、上記方形枠内へ重ね置きされる八つ折り或いは四つ折り半紙、奉書などの上面を被覆するものとなす方形金属板とからなり、上記方形金属板は内部へ相互に切り離されない状態に複数の切り溝を穿設した内板と、該内板を取囲んで台板上へ固定可能にする外板との組合せから構成してあることを特徴とする御幣作成用器具。
【請求項４】
上記方形枠の内面に肉厚２ｍｍ〜３ｍｍ程度の硬化ゴム板を装着したものとなしてあることを特徴とする請求項１，２又は３記載の御幣作成用器具。
【考案の詳細な説明】
【技術分野】
【０００１】
本考案は各種の御幣を必要に応じ、各自がその場で簡便且つ効率良く作成することを可能にする器具に関するものである。
【背景技術】
【０００２】
従来、神仏前等に供えられる御幣は二垂〜八垂、歳神、山神など多種多形状のものがあり、その作成に於いては半紙を八つ折り或いは四つ折りした状態で定規や物差しなどを使用し、適宜鉛筆で切り取り線を引いたりしながら、カッターナイフなどで切り目を入れて作成することが行われている。
【特許文献１】特開２００４−２５５０７９
【特許文献２】実用新案登録第３１１６４５１号
【考案の開示】
【考案が解決しようとする課題】
【０００３】
上記した通り、従来の御幣作成作業は、専ら夫々れの神社で半紙や奉書などを購入して来て独自に作成しているのであり、これらの多数を工場生産して市場で販売したりすることは行われていない。即ち、各神社ごとに夫々れが手作業で行っているのであり、これを効率良く行うべく半紙の多数枚を重ねたりすると、鋏やカッターナイフの使用時にズレを生じて適正に作成することが難しく、非常に作業効率の悪いものである。
本考案は上記問題点に鑑み、これら御幣の多数を適正に簡便且つ効率良く作成できる器具を市販に供せんとするのである。
【課題を解決するための手段】
【０００４】
本考案は、板面に八つ折り或いは四つ折りした半紙、奉書などの数枚程度を重ね置き可能にする方形枠を備えた台板と、上記方形枠内へ重ね置きされる八つ折り或いは四つ折り半紙、奉書などの上面を被覆するものとなす方形金属板とからなり、上記方形金属板は片端から内方へ向かって交叉したり或いは他端側へ到達して切り離しされない複数本の切り溝を穿設したものとなしてあることを特徴とする。
【０００５】
このさい、方形金属板は内部へ相互に切り離されない状態に複数の切り溝を穿設した内板と、該内板を取囲んで台板上へ固定可能にする外板との組合せから構成したりするのである。また、上記方形の台板内部には肉厚２ｍｍ〜３ｍｍ程度の硬化ゴム板を装着したものとなすのである。
【考案の効果】
【０００６】
本考案は以上の如く簡便で持ち運び可能な構成の器具を作成し、八つ折り或いは四つ折りした半紙や奉書など数枚程度を安定した重ね置き状態ににして、一度に多数の御幣を適正且つ迅速に作成することができるものとなすのであり、作業効率の向上に寄与すること大ならしめるものである。
【０００７】
このさい、本考案の方形枠の内底面に硬化ゴム板を装着させたりして、切断時にカッターナイフなどで台板の底面が傷付くことを防止し、且つ適確な切断作業を遂行させて不良品が発生しないようにする。
【考案を実施するための最良の形態】
【０００８】
本考案の実施の形態について、以下図面を参照して説明する。
図１は本考案に係る御幣作成用器具の斜視図である。ここで、１は御幣作成用器具の台板であって、中央内部に八つ折り或いは四つ折りした半紙、奉書など数枚程度を重ね置き可能とする方形枠２を備えたものになしてある。図示例で方形枠２は一対のコ字状体２ａ，２ｂを対向状態に配設したものであり、ここでその高さ寸法ｈは１０ｍｍ程度となされ、またこれらの縦・横寸法ｘ、ｙは半紙を八つ折り或いは四つ折りした１０枚程度がはみ出さないよう、その内部へ整然と重ね合わせ可能にする寸法である。
【０００９】
図２は方形金属板３であって、上記した八つ折り或いは四つ折りして方形枠２内へ重ね合わせした半紙の上面を被覆するものである。ここで該方形金属板３の板面には内方へ向かって交叉したり、或いは一端から他端へ到達して板面が切り離しされない複数本の切り溝ｋが穿設させてある。該切り溝ｋは市販のカッターナイフの使用を可能にする凡そ０．１５ｍｍ〜０．２ｍｍ程度の溝巾となされる。御幣には二垂、三垂、四垂、・・・歳神、山神など各種あるが、図示例では四垂の作成用のものである。
【００１０】
また、図３は方形枠２の内底面に装着する硬化ゴム板４であって、その肉厚寸法ｔは２ｍｍ〜３ｍｍ程度である。これは、カッターナイフなどの使用で台板底面の損傷を防止するためのものである。
【００１１】
図４は上記構成の御幣作成用器具の使用状態図であって、方形枠２ａ，２ｂの内底面には初めに硬化ゴム板４を装着させ、その上方から八つ折り或いは四つ折りした半紙５（図示例では八つ折りを示す）を重ね置きし、最後に方形金属板３を上記の折り重ねされた半紙５の上面に対し、これを被覆するように載置させるのである。
【００１２】
図５は上記の完成状態を示すものであり、この状態で方形金属板３の切り溝ｋに沿ってカッターナイフ６を使用して下方の折り重ねした半紙５を切断するのである。而して、各切り溝ｋに於ける切断作業が終わると、方形金属板３を取り除いて方形枠２内から折り重ねした半紙５を取出して一枚ずつ拡げるのであり、図６はその１枚を開放させた展開図である。
【００１３】
上記実施例では方形金属板３を１枚板で構成したものを示したが、本実施例では図７に示す如くこれを内板３’ａと外板３’ｂの２枚で構成するようになすのであり、内板３’ａは図７Ａに示す如く板面内に上記した御幣作成上に必要となる適宜な切り溝ｋ’を穿設するのであるが、このさい各切り溝ｋ’に於けるカッターナイフ先端の差入れ口ｍを、その切り溝ｋ’の反対側へ一定長さに延長させると共に、該差入れ口ｍを閉塞させる凸体ｇが形成される状態のものにする。而して、外板３’ｂは図７Ｂに示す如く上記構成の凸体ｇを含む内板３’ａを取囲んで嵌入可能にする方形板に形成するのであって、これにより内板３’ａと外板３’ｂとは図８に示す如く一体化される状態になる。
【００１４】
図９は上記例の使用状態説明図であり、この使用状態は前例の図４に示すものと変わりがないが、本例ではその台板１’を２枚の内板３’ａと外板３’ｂの組合せからなる方形金属板３’に合わせて同様の金属板（ステンレス材）で作成するものになしてあり、このさい該台板１’は方形金属板３’の寸法に合わせてその外周を取囲む大きさ寸法で且つその周縁に移動防止用の立上がり壁ｐが形成されたものとなされている。
【００１５】
図１０は上記例でカッターナイフ６を使用して重ね置きされている紙５を切断している状態を示すものであり、本図から明らかな通りカッターナイフ６は初めにその先端を内板３’ａの差入れ口ｍへ挿入し、あと切り溝ｋ’に沿って引くのであり、これにより該板の下方へ重ね置きされた紙が切断されるものとなる。
【００１６】
本例で方形金属板３’を内板３’ａと外板３’ｂの２枚の組合せ構成となしたことは、カッターナイフ６の切断時に当初の切り込みに於ける切り溝ｋ’の差入れ口ｍの開放が前例に比べて制限されるものとなっており、従って適正な導入とその後の切断が円滑に行われる上で優れるのであり、この効果は紙数が多くなるほど顕著である。また、切り溝ｋ（ｋ’）の溝巾寸法は通常０．２ｍｍ前後のものであるが、切断枚数やカッターナイフの種類に応じて適宜変化させるのであり、これらの対応のために溝巾寸法が１ｍｍ〜２ｍｍと大きくなっても適確な切断を可能にする上で優れたものになる。
【図面の簡単な説明】
【００１７】
【図１】本考案に係る御幣作成用器具の斜視図である。
【図２】本考案に係る御幣作成用器具の方形金属板である。
【図３】本考案に係る御幣作成用器具の硬化ゴム板である。
【図４】本考案に係る御幣作成用器具の使用状態図である。
【図５】図４の完成状態を示す図である。
【図６】本考案品で作成した四垂御幣の展開図である。
【図７】本考案に係る御幣作成用器具の方形金属板を内板と外板の２枚で構成した図である。
【図８】図７に於いて内板と外板を一体化した状態図である。
【図９】図７、図８に於ける使用状態説明図である。
【図１０】図９に於いてカッターナイフで切断する状態を示す図である。
【符号の説明】
【００１８】
１、１’    台板
２      方形枠
２ａ，２ｂ    コ字状体
２’ａ，２’ｂ，２’ｃ，２’ｄ    コーナー部材
３、３’    方形金属板
３’ａ  内板
３’ｂ  外板
４      硬化ゴム板
５      半紙
６      カッターナイフ
ｋ，ｋ’      切り溝
【図１】
0003123880.tif 000003
【図２】
0003123880.tif 000004
【図３】
0003123880.tif 000005
【図４】
0003123880.tif 000006
【図５】
0003123880.tif 000007
【図６】
0003123880.tif 000008
【図７】
0003123880.tif 000009
【図８】
0003123880.tif 000010
【図９】
0003123880.tif 000011
【図１０】
0003123880.tif 000012